(57)【特許請求の範囲】
【請求項１】
記録媒体に情報の記録および／または記録媒体から情報の再生を行う光ピックアップ装置において、
光を出射する光源である２つの半導体レーザと、
２つの半導体レーザの発光動作を制御するレーザドライバと、
レーザドライバが装着され、かつ互いに隣接し直交する２つの側面を有する第１ハウジングと、
２つの半導体レーザが装着され、かつ第１ハウジングの前記２つの側面に平行な２つの側面から成る凹所を有する第２ハウジングとを含み、
第１ハウジングは、前記２つの側面が第２ハウジングの２つの側面から離間するように、第２ハウジングの凹所に配置され、
第１ハウジングと第２ハウジングとの間には、平面視Ｌ字状の断熱部材が配置され、
２つの半導体レーザは、前記断熱部材を挟んでレーザドライバに隣合うように配置されているとともに、
第１ハウジングには、
第１ハウジングを厚さ方向に貫通する貫通孔がさらに形成され、
貫通孔は、
情報の記録／再生が可能なように装着された状態にある記録媒体の情報記録面に対向するようにして開口部が形成され、開口部が、いずれの部材によっても覆われていないことを特徴とする光ピックアップ装置。
【請求項２】
前記請求項１に記載の光ピックアップ装置を備えることを特徴とする電子機器。
【発明の詳細な説明】
【技術分野】
【０００１】
本発明は、たとえばデジタルバーサタイルディスク、コンパクトディスクなどの光を利用する記録媒体に対する情報の記録および／または再生に使用される光ピックアップ装置およびそれを備える電子機器に関する。
【背景技術】
【０００２】
近年、携帯利便性に優れるノート型パーソナルコンピュータ（略称ノートパソコン）の普及に伴って、ノートパソコンにおいて用いられる記録媒体に対する情報の記録／再生装置である情報記録再生装置は、小型軽量化される傾向にある。また、小型軽量化された情報記録再生装置は、たとえばデジタルバーサタイルディスク（略称ＤＶＤ）、コンパクトディスク（略称ＣＤ）などの複数の記録媒体に対して記録／再生の可能なものが汎用化されている。このような装置では、複数の記録媒体のそれぞれに対して情報の記録（書込み）および再生（読出し）を行うための複数のレーザ光源が搭載され、かつレーザ光源の発光動作を制御する集積回路（ＩＣ）であるレーザドライバが搭載される。
【０００３】
図８は、従来の光ピックアップ装置１の構成を簡略化して示す光学配置図である。図８には、２個のレーザ光源２，３とレーザドライバ８とを備える典型的な従来の光ピックアップ装置１を例示する。
【０００４】
光ピックアップ装置１は、大略、レーザ光を出射する光源と記録媒体による反射光を受光する受光部とが一体的な部材に集約された２個の受発光一体型素子２，３と、光分岐素子であるビームスプリッタ４と、コリメートレンズ５と、立上ミラー６と、対物レンズ７と、光源である半導体レーザの発光動作を制御するレーザドライバ８とを含む。
【０００５】
受発光一体型素子２または受発光一体型素子３の光源である半導体レーザから出射されたレーザ光は、ビームスプリッタ４を反射または透過し、コリメートレンズ５で平行光となった後、立上ミラー６で反射されて対物レンズ７に導かれる。対物レンズ７を通過して平行光が収束光となり記録媒体であるディスク９（ＤＩＳＫとも表記することがある）上の一点で収束し反射される。ディスク９による反射光は、再び対物レンズ７を通過して戻る際に平行光となり、立上ミラー６で反射されてコリメートレンズ５を通過し、ビームスプリッタ４で反射または透過され、往路と逆の順路で受発光一体型素子２または受発光一体型素子３に戻る。
【０００６】
ディスク９による反射光（戻り光とも呼ぶことがある）は、受発光一体型素子２または受発光一体型素子３の表面に設けられるホログラム素子で分光されて受光部に入射する。受光部に備わる受光素子が受光した光信号は、電気信号へと変換され、情報の記録、再生、消去またはサーボ信号として利用される。
【０００７】
このような光ピックアップ装置１では、ノートパソコンへの内蔵に対応するために小型化が加速されるのに伴い、高付加価値化のためにＣＤおよびＤＶＤの両メディアに対応するべく設けられる半導体レーザをそれぞれ備える受発光一体型素子２，３、またレーザドライバ８などの発熱部品が、薄く小さいパッケージに集中して設けられている。
【０００８】
図９は図８に示す光ピックアップ装置１の構成を簡略化して示す平面図である。２個の受発光一体型素子２，３、レーザドライバ８、ビームスプリッタ４、コリメートレンズ５、立上ミラー６、対物レンズ７を搭載するアクチュエータ１１は、金属製のフレーム部材であるハウジング１２に装着される。このアクチュエータ１１は、磁性部材、コイル等を備え、電磁気力を利用した駆動手段であり、搭載する対物レンズ７を、記録媒体のトラックに追随させるトラッキング、および記録媒体の情報記録面に対する集光位置を調整するフォーカシングのために駆動させる。
【０００９】
受発光一体型素子２，３とレーザドライバ８とは、プリント配線基板であるフレキシブル樹脂基板１３（略称ＦＰＣ）に実装される。また、光ピックアップ装置１では、設置面積を小さくして装置を小型化できるように、２つの受発光一体型素子２，３の間にレーザドライバ８が配置される構成である。
【００１０】
情報技術の進展に伴い、記録媒体に対する高倍速記録化が進むのに伴って、記録媒体であるディスク９に対する情報の記録／再生に用いられるレーザ光源である半導体レーザの出力が高くなる傾向にあり、また該半導体レーザを駆動させるレーザドライバ８も高出力化し消費電力が高くなる傾向にある。このような半導体レーザの高出力化およびレーザドライバ８の消費電力の増大は、情報記録再生装置において半導体レーザおよびレーザドライバが搭載される光ピックアップ装置における熱の発生を増加させるので、熱環境が非常に厳しいものとなる。半導体レーザは、発熱源でありながら熱に対して弱い部品であり、半導体レーザが温度上昇することによって発光効率の低下を来すという問題がある。
【００１１】
このような問題に対処する従来技術として、ハウジングの記録媒体を臨む表面部に凹凸状の放熱部を形成することが提案されている（特許文献１参照）。特許文献１では、ハウジングに放熱部を形成することによって、特に光源からの熱を、回転する記録媒体と凹凸状の放熱部とで協働して光ピックアップ装置外部に放出し、装置に熱が滞留することを防止して装置の動作を安定化させることができるとする。
【００１２】
しかしながら、特許文献１の技術は、特に光源から発生する熱を、放熱部と記録媒体の回転とによって装置外に放出することに着眼するものであり、以下のような問題がある。光ピックアップ装置には、半導体レーザよりも大きな発熱源となる光源の駆動制御用集積回路であるレーザドライバが備わっているので、放熱部と記録媒体の回転とによる作用では、高電力消費また高出力化しているレーザドライバおよび半導体レーザからの発熱を放出するには決して充分とは言えない。
【００１３】
もう一つの従来技術では、レーザドライバと半導体レーザとの配置に着目し、レーザドライバが２個の半導体レーザに対して記録媒体の回転方向の下流側に配置され、レーザドライバが装着されるハウジングと、半導体レーザが装着されるハウジングとを別体として形成することが、提案されている（特許文献２参照）。特許文献２では、レーザドライバから発生する熱が、記録媒体の回転に伴う空気の流れによって半導体レーザにもたらされることがなく、またレーザドライバが装着されるハウジングと半導体レーザが装着されるハウジングとが別体なので、レーザドライバで発生する熱が、半導体レーザが装着されるハウジングへと伝導することがないので、半導体レーザの過熱が防止され、継続して安定的に動作できるとする。
【００１４】
しかしながら、特許文献２の技術では、レーザドライバが２個の半導体レーザに対して必ず記録媒体の回転方向下流側に配置されなければならないという制約があるので、平面的な設置スペースが大きくなり、装置をコンパクト化するには限界がある。
【００１５】
【特許文献１】特開２００４−１５２４０８号公報
【特許文献２】特開２００５−１９６９２３号公報
【発明の開示】
【発明が解決しようとする課題】
【００１６】
本発明の目的は、コンパクトで、装置内で発生する熱の放出作用に優れる光ピックアップ装置およびそれを備える電子機器を提供することである。
【課題を解決するための手段】
【００１８】
本発明は、記録媒体に情報の記録および／または記録媒体から情報の再生を行う光ピックアップ装置において、
光を出射する光源である２つの半導体レーザと、
２つの半導体レーザの発光動作を制御するレーザドライバと、
レーザドライバが装着され、かつ互いに隣接し直交する２つの側面を有する第１ハウジングと、
２つの半導体レーザが装着され、かつ第１ハウジングの前記２つの側面に平行な２つの側面から成る凹所を有する第２ハウジングとを含み、
第１ハウジングは、前記２つの側面が第２ハウジングの２つの側面から離間するように、第２ハウジングの凹所に配置され、
第１ハウジングと第２ハウジングとの間には、平面視Ｌ字状の断熱部材が配置され、
２つの半導体レーザは、前記断熱部材を挟んでレーザドライバに隣合うように配置されているとともに、
第１ハウジングには、
第１ハウジングを厚さ方向に貫通する貫通孔がさらに形成され、
貫通孔は、
情報の記録／再生が可能なように装着された状態にある記録媒体の情報記録面に対向するようにして開口部が形成され、開口部が、いずれの部材によっても覆われていないことを特徴とする光ピックアップ装置である。
【００２４】
また本発明は、前記光ピックアップ装置を備えることを特徴とする電子機器である。
【発明の効果】
【００２８】
本発明によれば、記録媒体に情報の記録／再生を行う光ピックアップ装置は、光を出射する光源である２つの半導体レーザと、２つの半導体レーザの発光動作を制御するレーザドライバと、レーザドライバが装着され、かつ互いに隣接し直交する２つの側面を有する第１ハウジングと、２つの半導体レーザが装着され、かつ第１ハウジングの前記２つの側面に平行な２つの側面から成る凹所を有する第２ハウジングとを含む。第１ハウジングは、前記２つの側面が第２ハウジングの２つの側面から離間するように、第２ハウジングの凹所に配置される。第１ハウジングと第２ハウジングとの間には、平面視Ｌ字状の断熱部材が配置される。２つの半導体レーザは、前記断熱部材を挟んでレーザドライバに隣合うように配置されている。
このことによって、レーザドライバで発生し第１ハウジングへ伝導する熱が、断熱部材によって第２ハウジングへ伝導することが抑制されるので、２つの半導体レーザの過熱を防止することができる。また、２つの半導体レーザが備わるとき、各半導体レーザとレーザドライバとが、断熱部材を介して隣合うように配置、すなわちレーザドライバが２つの半導体レーザの間に配置されることによって、設置スペースが節約されるので、光ピックアップ装置のコンパクト化が実現される。
【００２９】
また、第１ハウジングには、第１ハウジングを厚さ方向に貫通する貫通孔が形成される。レーザドライバが装着される第１ハウジングに貫通孔を形成することによって、貫通孔内を空気が流過することができるので、空気の流れが、発熱量が多いレーザドライバで発生して第１ハウジングに伝導する熱を、効果的に放出することができる。
【００３０】
また、貫通孔は、情報の記録／再生が可能なように装着された状態にある記録媒体の情報記録面に対向するようにして開口部が形成され、開口部が、いずれの部材によっても覆われることがないように構成される。このことによって、記録媒体の回転によって形成される空気の流れが、確実に貫通孔内へ流入することができるので、レーザドライバで発生し第１ハウジングに伝導する熱を、確実かつ効果的に放出することができる。
【００３３】
また本発明によれば、電子機器は、前記光ピックアップ装置を備えるので、動作安定性に優れるとともに、コンパクト化が実現される。
【発明を実施するための最良の形態】
【００３４】
図１は本発明の前提となる実施の第１形態である光ピックアップ装置２０の構成を簡略化して示す平面図であり、図２は図１に示す光ピックアップ装置２０を側面から見た図である。光ピックアップ装置２０は、記録媒体であるディスクに情報の記録および／またはディスクから情報の再生を行うことに用いられる。また光ピックアップ装置２０は、ディスクに記録されている情報を消去することに用いられるものであってもよい。
【００３５】
光ピックアップ装置２０は、光を出射する光源である２個の半導体レーザ２１，２２と、半導体レーザ２１，２２の発光動作を制御する集積回路（ＩＣ）であるレーザドライバ２３と、半導体レーザ２１，２２およびレーザドライバ２３が装着されるハウジング２４と、半導体レーザ２１，２２から出射される光を、ディスクの情報記録面に集光させる光学系とを含む。
【００３６】
なお、図１および図２中のＸ，Ｙ，Ｚは、以下の方向を表す。Ｘ方向は、ディスクの外周方向、すなわちディスクに形成されるトラックの接線方向である。Ｙ方向は、水平面内においてＸ方向に垂直な方向であり、ピックアップの主軸方向、すなわちディスクの半径（ラジアル）方向である。Ｚ方向は、Ｘ方向およびＹ方向の両方に対して垂直な方向、すなわち対物レンズがディスクに対して近接離反する方向である。このＸ−Ｙ−Ｚ方向は、明細書全体を通じて共通に用いられる。
【００３７】
光ピックアップ装置２０は、その全体構成が前述の図８に示す光ピックアップ装置１に類似し、光学系として、光ピックアップ装置１と同様ビームスプリッタ４、コリメートレンズ、立上ミラー、対物レンズ等を含む。これらの光学系については、前述の光ピックアップ装置１と同じ構成であるので、説明を省略する。
【００３８】
本実施の形態において、光源である半導体レーザは、半導体レーザ単体ではなく、ディスクによる戻り光を回折するホログラム素子およびホログラム素子で回折された光を受光する受光部が一体化された受発光一体型素子としてそれぞれ設けられる。受発光一体型素子は、ディスクで反射された戻り光を受光し、再生信号ならびにトラッキングエラー信号およびフォーカシングエラー信号を検出することができる。したがって、光ピックアップ装置２０の構成部材としては、第１および第２受発光一体型素子と呼ぶべきであるけれども、ここでは便宜上、第１および第２半導体レーザ２１，２２と呼ぶことにする。
【００３９】
第１半導体レーザ２１には、たとえばＣＤに対する情報の記録／再生に用いられる赤外レーザ光を出射することのできるものが用いられ、第２半導体レーザ２２には、たとえばＤＶＤに対する情報の記録／再生に用いられる赤色レーザ光を出射することのできるものが用いられる。２個の半導体レーザをこのような構成とすることによって、光ピックアップ装置２０は、ＣＤとＤＶＤとの２種類の記録媒体について情報の記録／再生を行うことができる。
【００４０】
レーザドライバ２３は、前述のようにＩＣであり、第１および第２半導体レーザ２１，２２とともにプリント配線基板であるフレキシブル樹脂基板（以後、ＦＰＣと略称する）３７に実装されることによって、第１および第２半導体レーザ２１，２２と電気的に接続され、第１および第２半導体レーザ２１，２２に対して発光動作制御信号を出力する。
【００４１】
ハウジング２４には、ハウジング２４の厚さ方向に貫通する空隙部２５が形成され、レーザドライバ２３と半導体レーザ２１，２２とは、空隙部２５を介して隣合うように配置されてハウジング２４に装着される。
【００４２】
以下、ハウジング２４と、空隙部２５と、レーザドライバ２３と、第１および第２半導体レーザ２１，２２とによる構成について説明する。ハウジング２４は、レーザドライバ２３が装着される第１ハウジング３１と、第１および第２半導体レーザ２１，２２が装着される第２ハウジング３２とを含み、第１ハウジング３１と第２ハウジング３２とは、別体を成し、両者の間に空隙部２５を有するようにして接続される。
【００４３】
本実施形態では、第１ハウジング３１は、平面から見た形状が直角を成す２辺を含む略５角形に形成され、第２ハウジング３２は平面から見た形状が大略矩形であるけれども、第１半導体レーザ２１と第２半導体レーザ２２との間に、第１ハウジング３１の直角を成す２辺に対応する鉤型の切欠部３３が形成される。第２ハウジング３２の上記切欠部３３に、第１ハウジング３１を配置し、第１ハウジング３１と第２ハウジング３２とが空隙部２５として隙間を残すようにして接続される。
【００４４】
第１ハウジング３１と第２ハウジング３２との接続は、空隙部２５を跨ぐようにして第１ハウジング３１と第２ハウジング３２とに当接するように複数の接続用平板３４を配置し、接続用平板３４を雄ねじ部材（ビス）３５で第１および第２ハウジング３２に対してねじ止めすることによって行われる。この第１ハウジング３１と第２ハウジング３２との接続には、溶接、接着などが用いられても良い。
【００４５】
第１ハウジング３１と第２ハウジング３２との間に空隙部２５を形成することによって、第１ハウジング３１から第２ハウジング３２への熱伝導が遮断されるので、レーザドライバ２３で生成される熱が、第１ハウジング３１と第２ハウジング３２とを介して第１および第２半導体レーザ２１，２２へ伝導することが防止される。
【００４６】
また、第１ハウジング３１と第２ハウジング３２との間に形成される空隙部２５は、情報の記録／再生状態にあるディスクが回転することによって起こる空気の流れの通り道となり空冷ダクトの役割も担うので、空隙部２５を通る空気の流れが、レーザドライバ２３ならびに第１および第２半導体レーザ２１，２２で発生して第１および第２ハウジング３１，３２へ伝導する熱を抜熱して放出し、レーザドライバ２３ならびに第１および第２半導体レーザ２１，２２を積極的に冷却する効果も発現することができる。
【００４７】
さらに、レーザドライバ２３と半導体レーザ２１，２２とは、空隙部２５を介して隣合うように配置、すなわちレーザドライバ２３が第１半導体レーザ２１と第２半導体レーザ２２との間に配置される構成をとるので、設置スペースの無駄を省き、光ピックアップ装置２０のコンパクト化に寄与することができる。
【００４８】
レーザドライバ２３が装着される第１ハウジング３１、ならびに第１および第２半導体レーザ２１，２２が装着される第２ハウジング３２はいずれも金属製であり、第１ハウジング３１を成す金属の熱伝導率が、第２ハウジング３２を成す金属の熱伝導率よりも高くなるように選択されることが好ましい。
【００４９】
ハウジングの金属製素材としては、たとえば亜鉛ダイカスト、アルミニウムダイカスト、マグネシウムダイカストなどが挙げられる。これらの素材は、熱伝導率、比重、硬さ等の物性値が異なるとともに、製造上のコストも異なる。熱伝導率が高い素材は、一般的にアルミニウムダイカストであり、続いて亜鉛ダイカスト、マグネシウムダイカストの順である。比重が小さい素材は、マグネシウムダイカスト、アルミニウムダイカスト、亜鉛ダイカストの順である。また、製造上のコストを鋳造金型の耐久性の観点から比較すると、耐久性の高いものから順に、亜鉛ダイカスト、マグネシウムダイカスト、アルミニウムダイカストである。
【００５０】
ハウジングとして用いる素材は、それぞれの用途、目的によって選定されるけれども、たとえば第１ハウジング３１と第２ハウジング３２とのように別体とすることによって、発熱量が多く高温になるレーザドライバ２３を搭載する第１ハウジング３１の素材を、高熱伝導率のアルミニウムダイカストとし、第１および第２半導体レーザ２１，２２を搭載する第２ハウジング３２の素材を、アルミニウムダイカストよりも熱伝導率が低い亜鉛ダイカストとするような選択をすることができる。
【００５１】
このように、発熱量が多いレーザドライバ２３を高熱伝導率のアルミニウムダイカストから成る第１ハウジング３１で放熱し、レーザドライバ２３よりも発熱量が少ない第１および第２半導体レーザ２１，２２をアルミニウムダイカストよりも熱伝導率が低い亜鉛ダイカストから成る第２ハウジング３２で放熱するように選択および設計をすることによって、コストの高騰を抑え、効率的な熱放出特性を実現することができる。
【００５２】
また本実施の形態では、第１ハウジング３１には、第１ハウジング３１を厚さ方向に貫通する貫通孔３６が形成される。貫通孔３６は、情報の記録／再生が可能なように装着された状態にあるディスクの情報記録面に対向するようにして開口部３６ａが形成され、開口部３６ａが、いずれの部材によっても覆われていない、すなわち塞がれていない状態にある。この貫通孔３６は、空隙部２５と同様に、ディスクが回転することによって起こる空気の流れの通り道となり空冷ダクトの役割も担うので、貫通孔３６を通る空気の流れが、レーザドライバ２３で発生して第１ハウジング３１へ伝導する熱を抜熱して放出し、レーザドライバ２３を積極的に冷却する効果を発現することができる。
【００５３】
このように、第１ハウジング３１は、熱伝導性に優れるアルミニウムダイカストで形成されるだけでなく、第２ハウジング３２との間に空隙部２５を有し、また貫通孔３６が形成されるので、レーザドライバ２３からの発熱を迅速に伝導拡散し、該熱が空隙部２５および貫通孔３６を通る空気の流れで抜熱し放出されるので、熱放出性に優れるとともに高い冷却能をも発揮することができる。しかも、第１ハウジング３１と第２ハウジング３２との間には空隙部２５が形成されて、第１ハウジング３１から第２ハウジング３２への熱伝導が遮断される。したがって、レーザドライバ２３で発生する熱が第１および第２半導体レーザ２１，２２に伝えられることがないので、第１および第２半導体レーザが過熱されることなく、長時間にわたって安定した動作を継続することが可能になる。
【００５４】
また、光ピックアップ装置２０は、前述のようにＦＰＣ３７を含み、半導体レーザ２１，２２とレーザドライバ２３とは、いずれもＦＰＣ３７に実装され、他部材との電気的接続を行う配線としてＦＰＣ３７を共有するので、配線用部品点数を削減することが可能になる。
【００５５】
図３は本発明の実施の第２形態である光ピックアップ装置４０の構成を簡略化して示す平面図であり、図４は図３に示す光ピックアップ装置４０を側面から見た図である。本実施形態の光ピックアップ装置４０は、実施の第１形態の光ピックアップ装置２０に類似し、対応する部分については同一の参照符号を付して説明を省略する。
【００５６】
光ピックアップ装置４０において注目すべきは、ハウジング２４は、レーザドライバ２３が装着される第１ハウジング３１と、半導体レーザ２１，２２が装着される第２ハウジング３２とを含み、第１ハウジング３１と第２ハウジング３２とは、別体を成し、断熱材料からなる断熱部材４１を介して接続されることである。すなわち、光ピックアップ装置４０は、前述の光ピックアップ装置２０の空隙部２５に断熱部材４１が充填された構成である。
【００５７】
断熱部材４１の素材となる断熱材料としては、熱伝導率が０．０６０Ｗ／（ｍ・Ｋ）以下のものが好適に用いられ、たとえば樹脂、発泡プラスチック、グラスウールなどが挙げられる。
【００５８】
第１ハウジング３１と第２ハウジング３２とを断熱部材４１を介して接続することによって、レーザドライバ２３で発生し第１ハウジング３１へ伝導する熱が、断熱部材４１によって第２ハウジング３２へ伝導することが抑制されるので、半導体レーザ２１，２２の過熱を防止し、半導体レーザ２１，２２を長時間にわたって安定した動作を継続させることができる。
【００５９】
図５は本発明の前提となる実施の第３形態である光ピックアップ装置５０の構成を簡略化して示す平面図であり、図６は図５に示す光ピックアップ装置５０を側面から見た図であり、図７は図５に示すＡ部拡大斜視図である。
【００６０】
本実施形態の光ピックアップ装置５０は、実施の第１形態の光ピックアップ装置２０に類似し、対応する部分については同一の参照符号を付して説明を省略する。
【００６１】
光ピックアップ装置５０において注目すべきは、レーザドライバ２３と第１および第２半導体レーザ２１，２２とが装着されるハウジング５１が２つに分れることなく一体物から成り、一体物から成るハウジング５１に厚さ方向に貫通して空隙部５２が形成され、レーザドライバ２３と第１および第２半導体レーザ２１，２２とが、空隙部５２を介して隣合うように配置されてハウジング５１に装着されることである。
【００６２】
空隙部５２は、第１および第２半導体レーザ２１，２２のそれぞれと隣合うように配置されてハウジング５１に装着されるレーザドライバ２３の第１半導体レーザ２１と第２半導体レーザ２２とを臨む２面を囲うようにして、平面から見た形状が鉤型になるように形成される。したがって、レーザドライバ２３が装着されるハウジング５１の部分と、第１および第２半導体レーザ２１，２２が装着されるハウジング５１の部分とは、厚さ方向の断面積が小さな連結部５１ａ，５１ｂによって繋がり一体化されている状態である。
【００６３】
光ピックアップ装置５０では、ハウジング５１が一体的に形成されるけれども、レーザドライバ２３と第１および第２半導体レーザ２１，２２とが空隙部５２を介して隣合うので、レーザドライバ２３で発生する熱の第１および第２半導体レーザ２１，２２方向への伝導は、大半が空隙部５２で遮断され、空隙部５２以外のわずかな連結部５１ａ，５１ｂを通じて行われるのみである。したがって、レーザドライバ２３で発生する熱が第１および第２半導体レーザ２１，２２に伝導することが抑制され、第１および第２半導体レーザ２１，２２は、過熱が防止されて長時間にわたって安定した動作を継続することが可能になる。
【００６４】
また、レーザドライバ２３で発生しレーザドライバ２３の装着されるハウジング５１の部分に伝導した熱は、ディスクの回転によって生成される空気の流れが空隙部５２を通る際、空気の流れによって抜熱されかつ放出されるので、レーザドライバ２３が冷却される。
【００６５】
なお、空隙部５２は、断熱部材で充填されるように構成されてもよい。空隙部５２に断熱部材が充填される光ピックアップ装置においても、光ピックアップ装置５０と同様の効果を奏することができる。
【００６６】
前述の本発明のいずれかの光ピックアップ装置を備える電子機器、たとえばＤＶＤレコーダー、パーソナルコンピュータなどは、本発明のもう一つの実施形態である。本発明の光ピックアップ装置を備える電子機器は、光ピックアップ装置における熱放出性に優れ、第１および第２半導体レーザならびにレーザドライバが過熱することがないので、情報の記録／再生動作を継続して安定的に行うことが可能である。
【００６７】
以上に述べたように、本実施の形態では、光ピックアップ装置に備わる半導体レーザが２個の場合について例示するけれども、これに限定されることなく、光ピックアップ装置に備わる半導体レーザの数は、１個でもよく、３個以上であってもよい。
【図面の簡単な説明】
【００６８】
【図１】本発明の前提となる実施の第１形態である光ピックアップ装置２０の構成を簡略化して示す平面図である。
【図２】図１に示す光ピックアップ装置２０を側面から見た図である。
【図３】本発明の実施の第２形態である光ピックアップ装置４０の構成を簡略化して示す平面図である。
【図４】図３に示す光ピックアップ装置４０を側面から見た図である。
【図５】本発明の前提となる実施の第３形態である光ピックアップ装置５０の構成を簡略化して示す平面図である。
【図６】図５に示す光ピックアップ装置５０を側面から見た図である。
【図７】図５に示すＡ部拡大斜視図である。
【図８】従来の光ピックアップ装置１の構成を簡略化して示す光学配置図である。
【図９】図８に示す光ピックアップ装置１の構成を簡略化して示す平面図である。
【符号の説明】
【００６９】
２０，４０，５０  光ピックアップ装置
２１，２２  半導体レーザ
２３  レーザドライバ
２４，５１  ハウジング
２５，５２  空隙部
３１  第１ハウジング
３２  第２ハウジング
３７  ＦＰＣ
４１  断熱部材
【図１】
0004537308.tif 000002
【図２】
0004537308.tif 000003
【図３】
0004537308.tif 000004
【図４】
0004537308.tif 000005
【図５】
0004537308.tif 000006
【図６】
0004537308.tif 000007
【図７】
0004537308.tif 000008
【図８】
0004537308.tif 000009
【図９】
0004537308.tif 000010